(57)【要約】【課題】前面扉と遊技機の本体部材との隙間を利用した不正行為を防止し、且つ抑止する遊技機を提供する。【解決手段】上部扉が閉じられた状態において、隙間からピアノ線などの導体が挿入されると、そのピアノ線４７は上部扉を構成する金属製の補強板２９に接触する。このピアノ線４７の補強板２９への接触により、ピアノ線４７は人物４８を介してアースとなり、補強板２９を接地させる。補強板２９の接地により、補強板２９に帯電をしていた電荷は放出される。電荷の放出によって補強板２９の静電容量は変化する。制御回路４１は、静電容量検出回路４０が検出する補強板２９の静電容量が変化したと判定し、スピーカ３０から警告音を発させたり、ランプ３１を点灯或いは点滅させたりする。【選択図】図５
2008000396.tif 000002
【特許請求の範囲】
【請求項１】
遊技盤が組み付けられた遊技機本体の前方に、窓枠とそれを覆う透明窓とからなる前面扉を有し、この前面扉が前記遊技機本体の前面を露呈する開き状態と、前記遊技機本体の前面に位置する閉じ状態との間で回動自在な遊技機において、
前記前面扉の背面であって且つその外周縁部に沿って設けられ、前記前面扉が前記閉じ状態のときに前記遊技機本体に近接する金属板と、
この金属板に接続され、その静電容量を検出する静電容量検出回路と、
この静電容量検出回路によって検出される前記金属板の前記静電容量が変化したときに、エラー信号を発する信号回路とを備え、
前記エラー信号に基づき所定のエラー処理を行うことを特徴とする遊技機。
【請求項２】
前記窓枠は、合成樹脂で形成される樹脂枠とそれを補強する補強板とから構成され、前記金属板は、前記窓枠の前記補強板からなることを特徴とする請求項１記載の遊技機。
【請求項３】
前記遊技機本体は、前記金属板に接続された第１端子と、前記第１端子と接触することで前記金属板を接地させる第２端子と、を有するスイッチを備え、
前記前面扉の背面は、前記遊技機本体側に向かって延び、前記前面扉が閉じているときに前記第２端子を押圧して前記第２端子の前記第１端子との接触を解除し、前記金属板の接地を絶縁する絶縁突起を備えていることを特徴とする請求項１又は２記載の遊技機。
【発明の詳細な説明】
【技術分野】
【０００１】
本発明は、パチンコ店等の遊技場に設置して使用されるパチンコ機等の遊技機に関し、さらに詳しくは、遊技機本体と前面扉との隙間を利用した不正行為を防止し、且つ抑止する遊技機に関する。
【背景技術】
【０００２】
パチンコ店などの遊技場に設置される遊技機の一つにパチンコ機が挙げられる。このパチンコ機は、遊技媒体としてパチンコ球を用いて遊技（ゲーム）が行われるものである。このパチンコ球は、一定の価値が付加されているので、遊技者は、より多くのパチンコ球を獲得することを目的として遊技を行うことになる。
【０００３】
例えば、パチンコ機の遊技が実行されると、遊技領域の上方に向けてパチンコ球が打ち出された後、打ち出されたパチンコ球が遊技領域内を流下する。パチンコ球が遊技領域内を流下する過程で、パチンコ球は遊技領域内に設けられた障害釘や風車、或いはセンター役物と呼ばれる構造物に弾かれながら、その流下方向が変化されることになる。このように、流下方向を変化させながら流下するパチンコ球は、入賞チャッカ、始動チャッカに入賞することになる。この入賞を受けて、入賞に対する賞球としてのパチンコ球が払い出される。
【０００４】
なお、始動チャッカに入賞した場合には、賞球の払出しの他、通常の遊技が行われる通常状態から、「大当たり」状態と呼ばれる、遊技者に有利になる遊技状態に移行するか否かの抽選が行われる。この抽選の結果は、センター役物の中央に露呈される液晶パネルにおいて行われる。例えば、抽選で当たりとなる場合には、「７−７−７」など、同一の図柄が表示された後、遊技状態が通常状態から、「大当たり」状態へと移行する。この「大当たり」状態では、アタッカと呼ばれる可動入賞装置の可動板が開放され、遊技領域を流下するパチンコ球をアタッカ内部の大入賞口に入賞させ易くなる。このアタッカの可動板は、所定時間経過後、或いは所定数のパチンコ球が入賞すると一端閉じるが、その開放時に所定数のパチンコ球を入賞させている場合には、再度開くことになる。このアタッカの可動板の開閉動作は、複数回行われ、また、大入賞口に入賞したときに払い出される賞球数は、入賞チャッカ、及び始動チャッカに入賞したときに比べて多いことから、「大当たり」状態に移行した場合には、数多くのパチンコ球を賞球として獲得することができる。
【０００５】
このようなパチンコ機は、上述した遊技領域となる遊技盤や、遊技機の基本動作を行うための装置などが組み付けられる遊技機本体と、この遊技機本体の前方に配置され、遊技領域を視認するための窓を備えた前面扉とから構成されている。前面扉は、遊技機本体に対して回動自在に組み込まれており、通常は遊技盤を被覆する閉じ位置に保持され、例えば遊技領域内で発生した球詰まりを解消する時など遊技の際の不具合を解消する際に閉じ状態から開き状態へと回動されることになる。
【０００６】
このように、前面扉を遊技機本体に対して回動可能とする構成の場合、前面扉の回動動作を妨害しないように、遊技機本体、或いは遊技機本体に組み付けられた部材がその回動軌跡上に位置しないような形状となっている。このため、前面扉を閉じた場合には、前面扉と遊技機本体とに隙間が生じることになる。このような隙間が生じている場合には、この隙間からピアノ線や針金などを挿入し、始動チャッカに設けられた可動物や、アタッカの可動板を不正に開けた状態を作り出す、或いは遊技領域を流下するパチンコ球の流下軌跡を意図的に変化させる等の不正行為が行われ易いという欠点がある。
【０００７】
そこで、この隙間を利用した不正行為を防止する方法として、遊技機本体と前面扉との隙間を塞ぐように、前面扉の背面に複数の突条を設けることが提案されている（例えば、特許文献１参照）。このように複数の突条を設けることで、遊技機本体と前面扉との隙間を利用したピアノ線や針金などを遊技領域内へ侵入させるような不正行為を低減させることができる。
【特許文献１】特開２００５−１６８７１７号公報
【発明の開示】
【発明が解決しようとする課題】
【０００８】
しかしながら、特許文献１の遊技機では、遊技領域への侵入経路を複雑にしたに過ぎず、未だ、上述した不正行為が行われる恐れはある。また、当該行為が行われていることを店員などに知らせる機能を有しておらず、当該行為を摘発することはできない。
【０００９】
本発明は、上記課題を解決するためのものであり、遊技機本体と前面扉との隙間を利用した不正行為を防止し、且つ抑止する遊技機を提供することを目的とする。
【課題を解決するための手段】
【００１０】
上記目的を達成するために、本発明の遊技機は、遊技盤が組み付けられた遊技機本体の前方に、窓枠とそれを覆う透明窓とからなる前面扉を有し、この前面扉が遊技機本体の前面を露呈する開き状態と、遊技機本体の前面に位置する閉じ状態との間で回動自在な遊技機であって、前面扉の背面であって且つその外周縁部に沿って設けられ、前面扉が閉じ状態のときに遊技機本体に近接する金属板と、この金属板に接続され、その静電容量を検出する静電容量検出回路と、この静電容量検出回路によって検出される金属板の静電容量が変化したときに、エラー信号を発する信号回路とを備え、エラー信号に基づき所定のエラー処理を行うことを特徴とする。エラー処理として、光や音を出力することや、不正行為を知らせる電気信号をホストコンピュータに送信することなどが挙げられる。
【００１１】
なお、窓枠は、合成樹脂で形成される樹脂枠とそれを補強する補強板とから構成され、金属板は、窓枠の補強板からなることが好ましい。
【００１２】
また、遊技機本体は、金属板に接続された第１端子と、第１端子と接触することで金属板を接地させる第２端子と、を有するスイッチを備え、前面扉の背面は、遊技機本体側に向かって延び、前面扉が閉じているときに第２端子を押圧して第２端子の第１端子との接触を解除し、金属板の接地を絶縁する絶縁突起を備えていることが好ましい。
【発明の効果】
【００１３】
本発明の遊技機によれば、遊技盤が組み付けられた遊技機本体の前方に、窓枠とそれを覆う透明窓とからなる前面扉を有し、この前面扉が遊技機本体の前面を露呈する開き状態と、遊技機本体の前面に位置する閉じ状態との間で回動自在な遊技機であって、前面扉の背面であって且つその外周縁部に沿って設けられ、前面扉が閉じ状態のときに遊技機本体に近接する金属板と、この金属板に接続され、その静電容量を検出する静電容量検出回路と、この静電容量検出回路によって検出される金属板の静電容量が変化したときに、エラー信号を発する信号回路とを備え、エラー信号に基づき所定のエラー処理を行うので、遊技機本体と前面扉との隙間にピアノ線などの導体が挿入されると、その導体がその行為者を介して金属板を接地させることとなり、金属板の静電容量は変化し、ひいてはエラー処理が行われる。これにより、店員などは遊技機本体と前面扉との隙間にピアノ線などが挿入されたときに、その挿入を知ることができ、遊技機本体と前面扉との隙間を利用した不正行為を防止することができる。
【００１４】
また、窓枠は、合成樹脂で形成される樹脂枠とそれを補強する補強板とから構成され、金属板は、窓枠の補強板からなるので、遊技機が元から備えた部品を使用することができ、窓枠を新たな構成とする必要がない。
【００１５】
さらに、遊技機本体は、金属板に接続された第１端子と、第１端子と接触することで金属板を接地させる第２端子と、を有するスイッチを備え、前面扉の背面は、遊技機本体側に向かって延び、前面扉が閉じているときに第２端子を押圧して第２端子の第１端子との接触を解除し、金属板の接地を絶縁する絶縁突起を備えているので、前面扉が開かれたときに金属板は接地し、その静電容量は変化し、ひいてはエラー処理が行われる。これにより、店員などは遊技機本体と前面扉との隙間にピアノ線などが挿入されたときに、その挿入されたことを知ることができ、前面扉を開いて行う不正行為（例えば、内部機器を不正に操作する行為）を防止することができる。
【発明を実施するための最良の形態】
【００１６】
図１に示すように、パチンコ機（遊技機）１０は、基体となる本体部材（遊技機本体）１１に、上部扉１２と下部扉１３との２枚からなる前面扉１４が本体部材１１に対して回動自在となるように組み付けられる。上部扉１２の中央には開口１２ａが設けられ、この開口１２ａの上方には音声を発するスピーカ３０や光を発するランプ３１が設けられている。開口１２ａは、上部扉１２の裏側に組み付けられたガラス１５等の透明性を有する部材により遮蔽される。上部扉１２が閉じている状態では、遊技領域（遊技盤）１６に設けられた障害釘（図示せず）、風車（図示せず）、及びセンター役物１７等の構造物や、入賞チャッカ１８、始動チャッカ１９、及びアタッカ２０等の入賞装置は、上記開口１２ａを遮蔽するガラス１５を介して視認される。また、遊技領域１６の最下部にはアウト口２１が設けられている。アウト口２１は、入賞装置１８〜２０に入賞しなかったパチンコ球を回収する。なお、本体部材１１は、パチンコ機１０をパチンコ店等の遊技場に固定するための固定枠２２に覆われている。
【００１７】
センター役物１７の略中央には、図柄表示装置２３が配設される。この図柄表示装置２３は、始動チャッカ１９にパチンコ球が入賞した場合に図柄の可変表示が開始され、所定の可変表示の後に図柄の停止表示を行うことで、「大当たり」状態に移行するか否かの抽選を遊技者に報知する。
【００１８】
アタッカ２０は、「大当たり」状態に移行すると開放される可動入賞装置である。このアタッカ２０が開放されると、例えば３０秒経過の後、或いはアタッカ２０の内部に設けられた入賞領域（図示せず）に例えば１０個のパチンコ球が入賞することによってアタッカ２０の開放が終了する。本実施形態では、アタッカ２０が開放されてから閉じるまでの期間を１ラウンドとして説明する。そして、アタッカ２０の開放時に、例えば１０個の遊技球が上述した入賞領域に入賞することによって継続条件が満足され、一旦アタッカ２０が閉じた後に、再度開放される。この「大当たり」状態中のラウンド数は、例えば１５ラウンドを上限として設定されている。最大でも１５ラウンドが終了すると、「大当たり」状態が終了する。なお、継続条件を、入賞領域にパチンコ球が１０個入賞することとしたが、これに限定する必要はなく、例えば入賞領域に継続入賞領域を設け、この継続入賞領域にパチンコ球が入賞することを継続条件としても良い。
【００１９】
下部扉１３には、供給皿２５、操作ハンドル２６が設けられている。供給皿２５には、遊技を開始する際にパチンコ球が供給される他に、遊技領域１６を流下するパチンコ球が、遊技領域１６に設けられた入賞装置のいずれかに入賞したことを受けて払い出される賞球としてのパチンコ球が受容される。操作ハンドル２６は遊技を行う際に操作され、この操作ハンドル２６の操作を受けて内部に設けられた打出し用ボリューム（図示せず）の出力値が変化することによって、発射装置（図示省略）によるパチンコ球の打出し強さが変化する。なお、操作ハンドル２６を操作しない場合には、操作ハンドル２６は、発射装置におけるパチンコ球の打出しを行わない初期位置に位置する。なお、供給皿２５内には、払出し口２７が設けられている。この払出し口２７を介して供給皿２５に賞球としてのパチンコ球や、貸し球としてのパチンコ球が払い出される。
【００２０】
ところで、上部扉１２は、図２に示すように、合成樹脂で形成される樹脂枠２８と、それを補強する金属製の補強板２９とから構成される。補強板２９は、その中央に開口２９ａを形成し、裏側からガラス１５が組み付けられる。樹脂枠２８は、補強板２９の前面と側面とを覆う形状に形成され、上部扉１２に組み込まれるスピーカ３０やランプ３１などを保護する。
【００２１】
補強板２９には、その正面から見て左側の前面に、その上端と下端に金具３２、３３がビス留め等により取り付けられている。上端の金具３２には、本体部材に設けられた軸受け孔３４に差し込まれるヒンジ軸として金属ピン３５が鉛直方向に保持されている。金属ピン３５にはコイルスプリング３６が挿通されるとともにワッシャ状のリング部材（図示省略）が固定されており、このリング部材が金属ピン３５の鍔となってコイルスプリング３６が圧縮されたときの弾性力を金属ピン３５に伝達し、金属ピン３５を上方向に付勢する。下端の金具３３には、本体部材１１に設けられた軸支突起３７が差し込まれる。上部扉１２は、補強板２９が本体部材１１に枢着されることにより回動自在となり、その正面から見て右側から開放される。
【００２２】
図３及び図４に示すように、上部扉１２の回動動作により、上部扉１２と、本体部材１１或いは固定枠２２とが干渉しないよう、パチンコ機１０の左側側面には、隙間３８が生じている。本発明のパチンコ機１０には、その隙間３８からピアノ線や針金などの導体を挿入し、始動チャッカ１９に設けられた可動物や、アタッカ２０の可動板を不正に開けた状態を作り出す、或いは遊技領域１６を流下するパチンコ球の流下軌跡を変化させる等の不正行為が行われないよう工夫がなされている。
【００２３】
上述した通り、上部扉１２は金属製の補強板２９を構成に含んでいる。そして図３及び図４に示すように、補強板２９は、その正面から見て左側を、略コ字型の断面が上下方向に連続する形状とし、隙間３８を塞ぐように配置されている。また、その反対である右側を、略Ｆ字型の断面が上下方向に連続する形状とする。図４及び図５に示すように、その補強板２９には、回路線５０を介して増幅回路３９が接続されている。増幅回路３９には、静電容量検出回路４０が接続されている。静電容量検出回路４０は、増幅回路３９によって増幅された補強板２９の静電容量を検出する。その静電容量検出回路４０には、補強板２９の静電容量が変化したか否かを判定する制御回路４１が接続されている。その制御回路４１は、スピーカ３０やランプ３１が接続されており、補強板２９の静電容量が変化したと判定したときに、スピーカ３０から警告音を発させたり、ランプ３１を点灯或いは点滅させたりする。
【００２４】
また、補強板２９にはスイッチ４２が接続されている。このスイッチ４２は、第１端子４３と第２端子４４とから構成され、図６及び図７に示すように、本体部材１１の背面側から取り付けられ、後述する絶縁突起４５によってオンオフが切り替えられる。第１端子４３は、回路線５１を介して補強板２９と接続されている。第２端子４４は、へ字型に折曲可能となっている。その第２端子４４の可動片４４ａは、折曲部を中心に回動自在となっており、可動片４４ａの先端が第１端子４３と接触するように、図６及び図７における反時計回りの方向（Ａ方向）に付勢されている。また、第２端子４４の固定片４４ｂはアース線５２を介して地面と接続されている。可動片４４ａの先端が第１端子４３と接触されると、スイッチ４２はオンになる。スイッチ４２がオンのとき、補強板２９は接地しており帯電することはない。一方、可動片４４ａが付勢に抗して図６及び図７における時計回りの方向（Ｂ方向）に回転され、第１端子４３との接触が解除されると、スイッチ４２はオフになる。スイッチ４２がオフのとき、補強板２９は接地しておらず、パチンコ機１０を使用すれば補強板２９は帯電することになる。
【００２５】
上部扉１２の背面には、本体部材１１側に向かって延びた絶縁突起４５が設けられている。上部扉１２が閉じているときは、図６に示すように、絶縁突起４５は、本体部材１１の前面に形成された挿通孔４６に挿通し、且つ第２端子４４に当接して第２端子４４を押圧している。第２端子４４は、絶縁突起４５の押圧により付勢に抗してＢ方向に回転され、第１端子４３との接触が解除され、スイッチ４２はオフとなっている。また、上部扉１２が開いているときは、図７に示すように、絶縁突起４５は第２端子４４から退避している。第２端子４４はＡ方向に付勢されており、第１端子４３と接触され、スイッチ４２はオンとなっている。なお、増幅回路３９、静電容量検出回路４０、及び制御回路４１は、本体部材１１と補強板２９との何れに設けられていても良い。また、図６及び図７において、図面の都合上、第１端子４３から補強板２９への接続、及び固定片４４ｂから地面への接続は省略している。
【００２６】
以下、上記構成のパチンコ機１０の作用について図８を参照しながら説明する。上部扉１２が閉じられた状態では、スイッチ４２はオフであり、補強板２９は接地しておらず帯電をしている。上部扉１２が開かれると、スイッチ４２はオンになり、補強板２９は接地して帯電をしていた電荷を放出する（図５参照）。電荷の放出によって補強板２９の静電容量は変化する。制御回路４１は、静電容量検出回路４０が検出する補強板２９の静電容量が変化したと判定し、スピーカ３０から警告音を発させたり、ランプ３１を点灯或いは点滅させたりする。このように、上部扉１２が開放されたときに、その開放を外部に知らせることができるので、上部扉１２を開いて内部機器を不正に操作する行為を防止し、且つ抑止することができる。
【００２７】
また、上部扉１２が閉じられた状態において、隙間３８からピアノ線などの導体が挿入されると、そのピアノ線４７は隙間３８を塞ぐ補強板２９に必然的に接触する（図３〜図５参照）。同様に、上部扉１２が強引に抉じ開けられ、パチンコ機１０の右側側面からピアノ線４７が挿入されるときも、そのピアノ線４７は補強板２９に接触することとなり、補強板２９との接触を回避した上で遊技領域１６内へ侵入することは非常に困難である。ピアノ線４７の補強板２９への接触により、ピアノ線４７は人物４８を介してアースとなり、補強板２９を接地させる。補強板２９の接地により、補強板２９に帯電をしていた電荷は放出される（図５参照）。電荷の放出によって補強板２９の静電容量は変化する。制御回路４１は、静電容量検出回路４０が検出する補強板２９の静電容量が変化したと判定し、スピーカ３０から警告音を発させたり、ランプ３１を点灯或いは点滅させたりする。このように、隙間３８からピアノ線４７や針金などの導体が挿入されたときに、その挿入を外部に知らせることができるので、隙間３８を利用した不正行為を防止し、且つ抑止することができる。また、パチンコ機１０が従来から備える上部扉１２の開放検知をするための回路を、隙間３８を利用した不正行為を検知するための回路として共有させているので、製造コストの上昇を最小限に抑えることができる。
【００２８】
なお、上記実施形態において、静電容量検出回路４０は上部扉１２を構成する補強板２９に接続されている場合を例に説明したが、これに限定されるのではなく、下部扉１２を構成する金属製の部材に接続されていても良い。
【００２９】
また、上記実施形態において、一体に形成されている補強板２９が上部扉１２の構成に含まれる場合を例に説明したが、これに限定されるのではなく、複数枚の補強板を上部扉１２の構成に含んでいても良い。この場合、複数枚の補強板は、電気的に接続されている必要がある。
【００３０】
また、上記実施形態において、パチンコ機１０の場合を例に説明したが、これに限定されるのではなく、パチスロ機、その他の遊技機にも応用可能である。
【図面の簡単な説明】
【００３１】
【図１】パチンコ機の外観斜視図である。
【図２】上部扉の分解斜視図である。
【図３】パチンコ機の縦断面図である。
【図４】図３の一部破断拡大図である。
【図５】電気回路のブロック図である。
【図６】上部扉が閉じられた状態のときの図３に示す領域Ｘの拡大図である。
【図７】上部扉が開かれた状態のときの図３に示す領域Ｘの拡大図である。
【図８】スピーカやランプが作動する手順を示すフローチャートである。
【符号の説明】
【００３２】
１０  パチンコ機
１１  本体部材
１２  上部扉
１３  下部扉
１４  前面扉
１６  遊技領域
２８  樹脂枠
２９  補強板
３８  隙間
３９  増幅回路
４０  静電容量検出回路
４１  制御回路
４２  スイッチ
４５  絶縁突起
４７  ピアノ線
４８  人物
【図１】
2008000396.tif 000003
【図２】
2008000396.tif 000004
【図３】
2008000396.tif 000005
【図４】
2008000396.tif 000006
【図５】
2008000396.tif 000007
【図６】
2008000396.tif 000008
【図７】
2008000396.tif 000009
【図８】
2008000396.tif 000010